(57)【要約】      （修正有）【課題】固形石鹸を容易に泡立てることができる泡立て具を提供する。【解決手段】泡立て具Ａは、スポンジ体１と、このスポンジ体１を全体に亘って覆うと共に、透水性の布地で形成された覆い体２と、この覆い体２の外側に取り付けられ、覆い体２より堅く、固形石鹸を付着させる襞３とを備えているものである。【効果】泡立て具（又は泡立て洗浄具）Ａによれば、襞３は覆い体２より堅く、襞３に固形石鹸をこすりつけることにより固形石鹸を襞３に付着させて、スポンジ体１を揉むことにより容易に泡立てることができ、また、スポンジ体１で生じた泡は、覆い体２の布地を通過することによりきめ細かい泡を形成することができる。また、体の部位を洗う際に、襞（フリル）３を設けていない覆い体２の他方の面２Ｂを使用することにより皮膚が傷つくのを防止して体の部位に泡を付着させることができる。【選択図】図１
0003108193.tif 000002
【実用新案登録請求の範囲】
【請求項１】
スポンジ体と、
このスポンジ体を全体に亘って覆うと共に、透水性の布地で形成された覆い体と、
この覆い体の外側に取り付けられ、前記覆い体より堅く、固形石鹸を付着させる襞と
を備えていることを特徴とする泡立て具。
【請求項２】
スポンジ体と、
このスポンジ体を全体に亘って覆うと共に、透水性の布地で形成された覆い体と、
この覆い体の外側に取り付けられ、前記覆い体より堅く、固形石鹸を付着させる襞とを備え、
前記覆い体の布地が、オーガンディー、タフタ、シャンタンの内の何れかであることを特徴とする泡立て具。
【請求項３】
スポンジ体と、
このスポンジ体を全体に亘って覆うと共に、透水性の布地で形成された覆い体と、
この覆い体の外側に取り付けられ、前記覆い体より堅く、固形石鹸を付着させる襞とを備え、
前記覆い体の一方の面に襞を設け、前記覆い体の一方の面に前記スポンジ体を介して対向する前記覆い体の他方の面に前記襞を設けていない
ことを特徴とする泡立て洗浄具。
【考案の詳細な説明】
【技術分野】
【０００１】
本考案は、泡立て具及び泡立て洗浄具に係り、特に、固形石鹸を容易に泡立てることができる泡立て具及び泡立て洗浄具に関する。
【背景技術】
【０００２】
従来、スポンジ体に洗顔石鹸、洗顔クリーム等を付着させて、スポンジ体を揉むことにより泡立たせて顔を洗うようにしている。洗顔クリームの場合、支障はない。
しかしながら、固形石鹸を使用する場合、スポンジ体［又はスポンジ体を覆うネット（覆い体）］が比較的柔らかいため、固形石鹸がスポンジ体［又はスポンジ体を覆うネット（覆い体）］に付着しにくく、使用勝手が良くないという問題点が生じた（例えば、特許文献１参照。）。
【０００３】
【特許文献１】特開２００２−２５３４４２号公報
【考案の開示】
【考案が解決しようとする課題】
【０００４】
本考案は、前記した問題点を除去するようにした泡立て具及び泡立て洗浄具を提供することを目的としている。
【課題を解決するための手段】
【０００５】
前記した目的を達成するための請求項１記載の泡立て具は、スポンジ体と、
このスポンジ体を全体に亘って覆うと共に、透水性の布地で形成された覆い体と、この覆い体の外側に取り付けられ、前記覆い体より堅く、固形石鹸を付着させる襞とを備えているものである。
【０００６】
また、請求項２記載の泡立て具は、スポンジ体と、このスポンジ体を全体に亘って覆うと共に、透水性の布地で形成された覆い体と、この覆い体の外側に取り付けられ、前記覆い体より堅く、固形石鹸を付着させる襞とを備え、前記覆い体の布地が、オーガンディー、タフタ、シャンタンの内の何れかである。
【０００７】
また、請求項３記載の泡立て洗浄具は、スポンジ体と、このスポンジ体を全体に亘って覆うと共に、透水性の布地で形成された覆い体と、この覆い体の外側に取り付けられ、前記覆い体より堅く、固形石鹸を付着させる襞とを備え、前記覆い体の一方の面に襞を設け、前記覆い体の一方の面に前記スポンジ体を介して対向する前記覆い体の他方の面に前記襞を設けていないものである。
【考案の効果】
【０００８】
請求項１又は２記載の泡立て具によれば、襞は覆い体より堅く、襞に固形石鹸をこすりつけることにより固形石鹸を襞に付着させて、スポンジ体を揉むことにより容易に泡立てることができ、また、スポンジ体で生じた泡は、覆い体の布地を通過することによりきめ細かい泡を形成することができる。
【０００９】
又、請求項３記載の泡立て洗浄具によれば、覆い体より堅い襞に固形石鹸をこすりつけることにより固形石鹸を襞に付着させて、スポンジ体を揉むことにより容易に泡立てることができ、また、スポンジ体で生じた泡は、覆い体の布地を通過することによりより細かい泡を形成することができ、更に、泡立て洗浄具で生じた泡を体に当接して使用するときには、襞を設けていない覆い体の他方の面を使用することにより皮膚が傷つくのを防止することができる。
【考案を実施するための最良の形態】
【００１０】
本考案の一実施例の泡立て具及び泡立て洗浄具を図面を参照して説明する。
図１乃至図３において、Ａは、洗顔又は体の部位を洗う際に、スポンジ体を揉むことにより空気を混入させて容易に泡立てることができる泡立て具（泡立て洗浄具）で、スポンジ体１と、このスポンジ体１を全体に亘って覆うと共に、透水性の布地で形成された覆い体２とで概略的に構成される。
【００１１】
スポンジ体１は、泡立てやすくするように軟質多孔体のもので形成され、材質は、例えば、ウレタンで、その大きさは、手のひらにのる程度の大きさである。
覆い体２は、例えば、ポリエステルの合成樹脂繊維で成形されている。ポリエステル以外には、オーガンディー、タフタ、シャンタンの布地で形成しても良く、より望ましくは、肌に優しいオーガンディーが良い。
なお、特に、スポンジ体１で生じた泡は、覆い体２の布地の織り目を通過することによりより細かい泡を形成することができる。また、この細かい泡はすぐに消失しないため、洗顔に適している。 
【００１２】
覆い体２の外側には、襞（フリル）３が取り付けられている。この襞３は、覆い体より堅い素材（例えば、ポリエステル製又はナイロン製のメッシュ地)で  形成され、固形石鹸を付着させるようになっている。
この襞（フリル）３は、覆い体２の一方の面２Ａに設けられているが、覆  い体２の一方の面２Ａにスポンジ体１を介して対向する覆い体２の他方の面２Ｂには、襞（フリル）３は設けられていない。
これは、泡立て洗浄具Ａで生じた泡を体に当接して使用するときには、襞（フリル）３を設けていない覆い体２の他方の面２Ｂを使用することにより皮膚が傷つくのを防止することができるようにしている。
４は吊り下げリボンで、泡立て具（又は泡立て洗浄具）Ａを使用後、吊り下げて水気を切るようにしている。５は留め具である。
【００１３】
従って、泡立て具（又は泡立て洗浄具）Ａによれば、襞３は覆い体２より堅く、襞３に固形石鹸をこすりつけることにより固形石鹸を襞３に付着させて、スポンジ体１を揉むことにより容易に泡立てることができ、また、スポンジ体１で生じた泡は、覆い体２の布地を通過することによりきめ細かい泡を形成することができる。
また、体の部位を洗う際に、襞（フリル）３を設けていない覆い体２の他方の面２Ｂを使用することにより皮膚が傷つくのを防止して体の部位に泡を付着させることができる。
【図面の簡単な説明】
【００１４】
【図１】図１は、本考案の一実施例である泡立て具（又は泡立て洗浄具）の概略的斜視図である。
【図２】図２は、図１のＸ−Ｘ線による概略的断面図である。
【図３】図３は、図１の泡立て具（又は泡立て洗浄具）を使用後、吊り下げた状態の概略的斜視図である。
【符号の説明】
【００１５】
Ａ…泡立て具
１…スポンジ体
２…覆い体
３…襞
【図１】
0003108193.tif 000003
【図２】
0003108193.tif 000004
【図３】
0003108193.tif 000005